【手続補正書】
【提出日】平成28年9月26日(2016.9.26)
【手続補正１】
【補正対象書類名】特許請求の範囲
【補正対象項目名】全文
【補正方法】変更
【補正の内容】
【特許請求の範囲】
【請求項１】
物体側から像側へ順に配置された、正の屈折力の第１レンズ群、負の屈折力の第２レンズ群、正の屈折力の第３レンズ群、正の屈折力の第４レンズ群、負の屈折力の第５レンズ群から構成され、ズーミングに際して、前記第１レンズ群、前記第３レンズ群、前記第５レンズ群は不動で、前記第２レンズ群と前記第４レンズ群が移動するズームレンズにおいて、
前記第５レンズ群は、該第５レンズ群における最も広い空気間隔を隔てて物体側から像側へ順に配置された、負の屈折力の部分群Ｌ５ｎ、正の屈折力の部分群Ｌ５ｐから構成され、
レンズ全長をＴＬ、望遠端における全系の焦点距離をｆｔ、前記第２レンズ群の焦点距離をｆ２、前記第４レンズ群の焦点距離をｆ４、前記部分群Ｌ５ｎの焦点距離をｆ５ｎとするとき、
１．７０＜ｆｔ／ＴＬ＜２．５０
２３＜ｆｔ／｜ｆ２｜＜１００
１．０＜ｆ４／｜ｆ５ｎ｜＜５．０
なる条件式を満足することを特徴とするズームレンズ。
【請求項２】
広角端から望遠端へのズーミングにおける前記第２レンズ群の移動量をＢＬ２ｓｔｒとするとき、
４．０＜ＢＬ２ｓｔｒ／｜ｆ２｜＜１０．０
なる条件式を満足することを特徴とする請求項１に記載のズームレンズ。
【請求項３】
前記部分群Ｌ５ｎと前記部分群Ｌ５ｐの光軸上の間隔をＬ５ｄ、前記第５レンズ群の最も物体側のレンズ面から最も像側のレンズ面までの光軸上の距離をＤ５とするとき、
０．３＜Ｌ５ｄ／Ｄ５＜０．９
なる条件式を満足することを特徴とする請求項１又は２に記載のズームレンズ。
【請求項４】
前記部分群Ｌ５ｐの焦点距離をｆ５ｐとするとき、
１．０＜ｆ５ｐ／｜ｆ５ｎ｜＜３．０
なる条件式を満足することを特徴とする請求項１乃至３のいずれか１項に記載のズームレンズ。
【請求項５】
前記部分群Ｌ５ｎは１枚の負レンズより構成され、前記部分群Ｌ５ｐは１枚の正レンズより構成されることを特徴とする請求項１乃至４のいずれか１項に記載のズームレンズ。
【請求項６】
請求項１乃至５のいずれか１項に記載のズームレンズと、該ズームレンズによって形成された像を受光する撮像素子を有することを特徴とする撮像装置。
【請求項７】
前記撮像素子の有効受光面の対角線長の半分をｈｍａｘとするとき、
２７＜ＴＬ／ｈｍａｘ＜３２
なる条件式を満足することを特徴とする請求項６に記載の撮像装置。
【手続補正２】
【補正対象書類名】明細書
【補正対象項目名】００１０
【補正方法】変更
【補正の内容】
【００１０】
本発明のズームレンズは、物体側から像側へ順に配置された、正の屈折力の第１レンズ群、負の屈折力の第２レンズ群、正の屈折力の第３レンズ群、正の屈折力の第４レンズ群、負の屈折力の第５レンズ群から構成され、ズーミングに際して、前記第１レンズ群、前記第３レンズ群、前記第５レンズ群は不動で、前記第２レンズ群と前記第４レンズ群が移動するズームレンズにおいて、
前記第５レンズ群は、該第５レンズ群における最も広い空気間隔を隔てて物体側から像側へ順に配置された、負の屈折力の部分群Ｌ５ｎ、正の屈折力の部分群Ｌ５ｐから構成され、
レンズ全長をＴＬ、望遠端における全系の焦点距離をｆｔ、前記第２レンズ群の焦点距離をｆ２、前記第４レンズ群の焦点距離をｆ４、前記部分群Ｌ５ｎの焦点距離をｆ５ｎとするとき、
１．７０＜ｆｔ／ＴＬ＜２．５０
２３＜ｆｔ／｜ｆ２｜＜１００
１．０＜ｆ４／｜ｆ５ｎ｜＜５．０
なる条件式を満足することを特徴としている。
【手続補正３】
【補正対象書類名】明細書
【補正対象項目名】００１３
【補正方法】変更
【補正の内容】
【００１３】
以下に、本発明の好ましい実施の形態を、添付の図面に基づいて詳細に説明する。本発明のズームレンズは、物体側から像側へ順に配置された、正の屈折力の第１レンズ群、負の屈折力の第２レンズ群、正の屈折力の第３レンズ群、正の屈折力の第４レンズ群、負の屈折力の第５レンズ群から構成されている。そしてズーミングに際して、第１レンズ群、第３レンズ群、第５レンズ群は不動で、第２レンズ群と第４レンズ群が移動する。
【手続補正４】
【補正対象書類名】明細書
【補正対象項目名】００１４
【補正方法】変更
【補正の内容】
【００１４】
第５レンズ群は第５レンズ群における最も広い空気間隔を隔てて、物体側から像側へ順に配置された、負の屈折力の部分群Ｌ５ｎと、正の屈折力の部分群Ｌ５ｐを有している。ここで部分群は１枚のレンズ又は２枚以上のレンズを接合した接合レンズを意味する。
【手続補正５】
【補正対象書類名】明細書
【補正対象項目名】００２６
【補正方法】変更
【補正の内容】
【００２６】
また、第４レンズ群Ｌ４を光軸上移動させてフォーカシングを行うリアフォーカス式を採用している。第４レンズ群Ｌ４に関する実線の曲線４ａと点線の曲線４ｂは、各々無限遠と近距離にフォーカスしているときの変倍に伴う像面変動を補正するための移動軌跡である。このように第４レンズ群Ｌ４を物体側へ凸状の軌跡とすることで第３レンズ群Ｌ３と第４レンズ群Ｌ４間の空間の有効利用を図り、レンズ全長（第１レンズ面から最終レンズ面までの距離に空気換算長のバックフォーカスの値を加えた距離である。）の短縮を効果的に達成している。
【手続補正６】
【補正対象書類名】明細書
【補正対象項目名】００４４
【補正方法】変更
【補正の内容】
【００４４】
１．９０＜ｆｔ／ＴＬ＜２．４０              ・・・（１ｂ）
３０＜ｆｔ／｜ｆ２｜＜１００                ・・・（２ｂ）
４．５＜ＢＬ２ｓｔｒ／｜ｆ２｜＜８．０      ・・・（４ｂ）
以上の各実施例において部分群Ｌ５ｎは１枚の負レンズより構成され、部分群Ｌ５ｐは１枚の正レンズより構成されているが、接合レンズで構成しても良い。また各実施例において好ましくは各レンズ群を次の如く構成するのが良い。
【手続補正７】
【補正対象書類名】明細書
【補正対象項目名】００６０
【補正方法】変更
【補正の内容】
【００６０】
非球面データ
第18面
K = 0.00000e+000  A 4=-4.05207e-005  A 6=-2.89504e-007 
A 8= 1.24205e-009  A10=-1.81816e-011  
第19面
K = 0.00000e+000  A 4= 9.69470e-006  A 6=-1.98038e-007  
第24面
K = 0.00000e+000  A 4=-1.08769e-004  A 6= 4.01759e-007 
A 8=-2.93577e-008  A10= 6.47990e-010  
各種データ
ズーム比     39.49 
焦点距離       4.28    63.65   168.87
Fナンバー      1.65     5.13     5.60
半画角（度）  35.05     2.70     1.02
像高           3.00     3.00     3.00
レンズ全長    85.79    85.79    85.79
BF             5.84     5.84     5.84
d 7            0.69    26.25    29.74
d15           29.25     3.68     0.20
d23            8.06     2.56    11.23
d28            3.78     9.28     0.61
ズームレンズ群データ
群  始面    焦点距離  
1    1      41.19  
2    8      -5.27  
3   16      21.24  
4   24      16.71  
5   29     -51.61  
6   33       ∞